(57)【要約】【課題】限られた記憶容量の中で、迅速に効率よく大容量の情報の読み取りを行えるようにする。【解決手段】情報を記憶するＩＣ回路部１５０と、このＩＣ回路部１５０に接続されるアンテナ１５１とを有する無線タグ回路素子Ｔoであって、ＩＣ回路部１５０は、リーダ２００から不特定検索信号又は探索信号の受信時に当該信号に対し返答信号を出力するか否かを設定可能に構成されており、リーダ３００からの信号受信時に当該信号が不特定検索信号又は探索信号であるかどうかを判定し、この判定結果に応じて、リーダ２００側へ返答信号を出力するかしないかを切り替える。また、他の無線タグ回路素子Ｔoへのアクセスポインタ情報を記憶保持する。【選択図】  図２
2006293669.tif 000002
【特許請求の範囲】
【請求項１】
情報を記憶するＩＣ回路部と、
このＩＣ回路部に接続されるタグ側アンテナとを有する無線タグ回路素子であって、
前記ＩＣ回路部は、他の無線タグ回路素子へアクセスするためのアクセスポインタ情報を記憶保持することを特徴とする無線タグ回路素子。
【請求項２】
請求項１記載の無線タグ回路素子において、
前記ＩＣ回路部は、質問器から不特定検索信号又は探索信号の受信時に当該信号に対し返答信号を出力するか否かを設定可能に構成されていることを特徴とする無線タグ回路素子。
【請求項３】
請求項２記載の無線タグ回路素子において、
前記質問器からの信号受信時に、当該信号が不特定検索信号又は探索信号であるかどうかを判定するタグ側判定手段と、
このタグ側判定手段による判定結果に応じて、前記質問器側へ返答信号を出力するかしないかを切り替える切替手段とを備えることを特徴とする無線タグ回路素子。
【請求項４】
請求項１記載の無線タグ回路素子において、
前記ＩＣ回路部は、前記アクセスポインタ情報として、前記他の無線タグ回路素子の識別子またはその一部を記憶保持することを特徴とする無線タグ回路素子。
【請求項５】
請求項１記載の無線タグ回路素子において、
前記ＩＣ回路部は、前記アクセスポインタ情報として、前記他の無線タグ回路素子の識別子を取得するための情報を記憶保持することを特徴とする無線タグ回路素子。
【請求項６】
請求項１乃至５のいずれか１項記載の無線タグ回路素子において、
前記ＩＣ回路部は、複数の前記他の無線タグ回路素子に係わる前記アクセスポインタ情報を記憶保持することを特徴とする無線タグ回路素子。
【請求項７】
請求項１乃至６のいずれか１項記載の無線タグ回路素子において、
前記ＩＣ回路部は、前記アクセスポインタ情報に加え、前記他の無線タグ回路素子の記憶内容に係わる関連情報を記憶保持することを特徴とする無線タグ回路素子。
【請求項８】
情報を記憶するＩＣ回路部とこのＩＣ回路部に接続されるタグ側アンテナとを備えた無線タグ回路素子を複数有する無線タグラベルであって、
前記複数の無線タグ回路素子のうち一の無線タグ回路素子の前記ＩＣ回路部は、他の無線タグ回路素子へアクセスするためのアクセスポインタ情報を記憶保持することを特徴とする無線タグラベル。
【請求項９】
請求項８記載の無線タグラベルにおいて、
前記複数の無線タグ回路素子のうち、少なくとも１つの無線タグ回路素子の前記ＩＣ回路部は、質問器から不特定検索信号又は探索信号の受信時に当該信号に対し返答信号を出力するか否かを設定可能に構成されていることを特徴とする無線タグラベル。
【請求項１０】
請求項８又は９記載の無線タグラベルにおいて、
前記複数の無線タグ回路素子の前記ＩＣ回路部に記憶した情報に対応した所定の印字領域を備えることを特徴とする無線タグラベル。
【請求項１１】
情報を記憶するＩＣ回路部とこのＩＣ回路部に接続されたタグ側アンテナとを有する無線タグ回路素子との間で無線通信により情報の送受信を行う装置側アンテナと、
一の前記無線タグ回路素子の識別子を含む第１アクセス情報を生成し、前記装置側アンテナを介して前記一の無線タグ回路素子へ送信し、当該一の無線タグ回路素子の前記ＩＣ回路部に記憶された、他の無線タグ回路素子へアクセスするためのアクセスポインタ情報を含む情報の読み取りを行う第１情報アクセス手段と、
この第１情報アクセス手段で取得した前記アクセスポインタ情報に基づく第２アクセス情報を生成し、前記装置側アンテナを介して前記他の無線タグ回路素子へ送信し、当該他の無線タグ回路素子の前記ＩＣ回路部に記憶された情報の読み取りを行う第２情報アクセス手段とを有することを特徴とする質問器。
【請求項１２】
請求項１１記載の質問器において、
前記第１情報アクセス手段で取得した前記アクセスポインタ情報に基づき、前記他の無線タグ回路素子の識別子を生成する識別子生成手段を有し、
前記第２情報アクセス手段は、前記識別子生成手段で生成した前記識別子を含む前記第２アクセス情報を生成することを特徴とする質問器。
【請求項１３】
請求項１１又は１２記載の質問器において、
前記第１情報アクセス手段で前記アクセスポインタ情報とともに取得した前記他の無線タグ回路素子の記憶内容に係わる関連情報のうち、少なくとも一部を表示する表示手段を有することを特徴とする質問器。
【請求項１４】
請求項１３記載の質問器において、
第１情報アクセス手段は、前記ＩＣ回路部から複数の他の無線タグ回路素子へアクセスするための複数の前記アクセスポインタ情報の読み取りを行い、
前記表示手段は、前記第１情報アクセス手段で前記複数のアクセスポインタ情報とともに取得した、前記複数の他の無線タグ回路素子それぞれの記憶内容に係わる複数の関連情報の、少なくとも一部を表示することを特徴とする質問器。
【請求項１５】
請求項１４記載の質問器において、
前記表示手段は、前記複数の他の無線タグ回路素子の記憶内容に係わるすべての前記関連情報を一覧表示することを特徴とする質問器。
【請求項１６】
請求項１４記載の質問器において、
前記表示手段は、前記複数の他の無線タグ回路素子の記憶内容に係わるすべての前記関連情報をスクロール可能に表示することを特徴とする質問器。
【請求項１７】
請求項１６記載の質問器において、
前記表示手段で表示された、前記複数の他の無線タグ回路素子の記憶内容それぞれに係わる複数の関連情報の少なくとも一部の表示に基づき、前記第２情報アクセス手段の読み取り対象としての前記他の無線タグ回路素子を操作者が選択操作可能な操作手段を有することを特徴とする質問器。
【請求項１８】
請求項１１乃至１７のいずれか１項記載の質問器において、
前記第１情報アクセス手段は、前記ＩＣ回路部から読み取った情報に前記アクセスポインタ情報が含まれるかどうかを判定する質問器側判定手段を備え、
前記第２情報アクセス手段は、前記質問器側判定手段による判定が満たされた場合に、前記アクセスポインタ情報に基づく前記第２アクセス情報を生成し、前記他の無線タグ回路素子の前記ＩＣ回路部に記憶された情報の読み取りを行うことを特徴とする質問器。
【請求項１９】
情報を記憶するＩＣ回路部を有する無線タグ回路素子を備えたタグテープが巻回されたタグテープロールを着脱可能なタグテープロールホルダ部と、
前記タグテープロールから繰り出される前記タグテープの長手方向に連続的に配置された複数の前記無線タグ回路素子との間で、無線通信により情報の送受信を行う装置側アンテナと、
前記ＩＣ回路部へのアクセス情報を生成するアクセス情報生成手段と、
一の無線タグ回路素子から他の無線タグ回路素子へアクセスするためのアクセスポインタ情報を生成するアクセスポインタ情報生成手段と、
少なくとも前記アクセスポインタ情報を含む前記アクセス情報を前記装置側アンテナを介し前記無線タグ回路素子へ送信して前記ＩＣ回路部への情報書き込みを行う装置側情報アクセス手段とを有することを特徴とする無線タグラベル作成装置。
【請求項２０】
請求項１９記載の無線タグラベル作成装置において、
前記装置側情報アクセス手段は、前記ＩＣ回路部を、質問器から不特定検索信号又は探索信号の受信時に当該信号に対し返答信号を出力するか否かを設定可能とすることを特徴とする無線タグラベル作成装置。
【請求項２１】
請求項１９又は２０記載の無線タグラベル作成装置において、
前記無線タグ回路素子に書き込む情報の情報量が１つの前記無線タグ回路素子の記憶容量より大きいかどうかを判定する装置側判定手段を有し、
前記装置側情報アクセス手段は、前記装置側判定手段での判定結果に応じ、前記アクセス情報を複数の前記無線タグ回路素子に分割して書き込むことを特徴とする無線タグラベル作成装置。
【発明の詳細な説明】
【技術分野】
【０００１】
本発明は、外部と情報の無線通信が可能な無線タグ回路素子、これを備えた無線タグラベル、無線タグ回路素子と信号送受を行う質問器、無線タグラベルを作成する無線タグラベル作成装置に関するものである。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグラベルに備えられた無線タグ回路素子は、所定の無線タグ情報を記憶するＩＣ回路部とこのＩＣ回路部に接続されて情報の送受信を行うアンテナとを備えており、無線タグラベルが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このように種々の分野において活用されつつある無線タグであるが、無線タグ回路素子のＩＣ回路部の記憶容量には限界があるため、大容量の情報を無線タグに記憶させようとする場合には、その情報を複数の無線タグ回路素子に分割して記憶させる必要がある。このような複数の無線タグ回路素子との間の通信手法に関する従来技術としては、例えば特許文献１に記載のものがある。
【０００４】
一般に、装置側のアンテナから電波が届く範囲内に存在していれば複数の無線タグ回路素子に対して通信を行うことは可能であるが、通常無線タグ回路素子にそれぞれ備えられる識別情報（いわゆるタグＩＤ）により通信対象を特定することなく、装置側から通信のための電波を送信すると、電波が届く範囲内に存在する無線タグ回路素子はすべて応答するため、混信が発生してしまう。上記従来技術では、このような点に配慮し、上記複数の無線タグ回路素子を識別するための輻輳制御を行うことにより、複数の無線タグ回路素子による前述の混信を防止し、円滑に通信を行えるようにしている。
【０００５】
【特許文献１】特開２００４−７８８４０号公報（段落番号００１９〜００２７、図５〜図７）
【発明の開示】
【発明が解決しようとする課題】
【０００６】
上記従来技術は、複数の無線タグ回路素子による混信を防止するために行う輻輳制御において、複数の無線タグ回路素子のそれぞれからタグＩＤを１ビットずつ質問器へ応答させては質問器側でその応答信号から所定の選抜を行い、これを順次繰り返すことによって、最終的にすべての無線タグ回路素子の識別を完了するようになっている。このため、上述のように大容量の情報を複数の無線タグ回路素子に分割し記憶させるようにした場合には、それら複数の無線タグ回路素子からの情報読み取り時に通信手順が煩雑化して通信所要時間が増大し、効率よく迅速に情報読み取りを行うのが困難であった。
【０００７】
本発明の目的は、限られた記憶容量の中で、迅速に効率よく大容量の情報の読み取りを行うことができる無線タグ回路素子、これを備えた無線タグラベル、無線タグ回路素子と信号送受を行う質問器、無線タグラベルを作成する無線タグラベル作成装置を提供することにある。
【課題を解決するための手段】
【０００８】
上記目的を達成するために、本願第１発明は、情報を記憶するＩＣ回路部と、
このＩＣ回路部に接続されるタグ側アンテナとを有する無線タグ回路素子であって、前記ＩＣ回路部は、他の無線タグ回路素子へアクセスするためのアクセスポインタ情報を記憶保持することを特徴とする。
【０００９】
本願第１発明においては、無線タグ回路素子に大容量の情報を記憶させたいときには、複数の無線タグ回路素子を用意してその記憶させたい情報を分割して各無線タグ回路素子に記憶させる。そして、読み出し時には、それら複数の無線タグ回路素子のうち所定の１つの無線タグ回路素子にアクセスする。これにより、例えば当該所定の１つの無線タグ回路素子には上記分割された情報を記憶せず、残りの他の無線タグ回路素子に分割情報をそれぞれ分担して記憶する場合は、上記所定の無線タグ回路素子のポインタ情報に基づいて取得したい分割情報に係る他の無線タグ回路素子のＩＣ回路部にアクセスすれば、対応する情報を容易に得ることができる。あるいは、上記所定の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００１０】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００１１】
第２発明は、上記第１発明において、前記ＩＣ回路部は、質問器から不特定検索信号又は探索信号の受信時に当該信号に対し返答信号を出力するか否かを設定可能に構成されていることを特徴とする。
【００１２】
本願第２発明においては、無線タグ回路素子に大容量の情報を記憶させたいときには、複数の無線タグ回路素子を用意してその記憶させたい情報を分割して各無線タグ回路素子に記憶させる。このとき、それら無線タグ回路素子は、不特定検索信号又は探索信号に対して応答する特性とするか、不特定検索信号又は探索信号に対しては応答せず例えば特定検索信号のみに応答する特性とするかを自在に切り替え設定可能であることから、例えば上記複数の無線タグ回路素子のうち所定の１つの無線タグ回路素子のみ、すなわち、分割した情報のうち最初に読み出すべき情報を記憶した１つの無線タグ回路素子のみ不特定検索信号又は探索信号に対して応答する特性とし、残りについては不特定検索信号又は探索信号に対して応答しない特性とすることができる。
【００１３】
そして、読み出し時には、不特定検索信号又は探索信号を送信して上記所定の１つの無線タグ回路素子にアクセスする。これにより、例えば当該所定の１つの無線タグ回路素子には上記分割された情報を記憶せず、残りの他の無線タグ回路素子に分割情報をそれぞれ分担して記憶する場合は、上記所定の無線タグ回路素子のポインタ情報に基づいて取得したい分割情報に係る他の無線タグ回路素子のＩＣ回路部にアクセスすれば、対応する情報を容易に得ることができる。あるいは、上記所定の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００１４】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００１５】
第３発明は、上記第２発明において、前記質問器からの信号受信時に、当該信号が不特定検索信号又は探索信号であるかどうかを判定するタグ側判定手段と、このタグ側判定手段による判定結果に応じて、前記質問器側へ返答信号を出力するかしないかを切り替える切替手段とを備えることを特徴とする。
【００１６】
タグ側判定手段で受信信号が不特定検索信号又は探索信号であるかどうかを判定し、この判定結果に応じて、切り替え手段で、例えば不特定検索信号又は探索信号と判定された場合にはＩＣ回路部に記憶した他の無線タグ回路素子のポインタ情報を含む返答信号を出力し、不特定検索信号又は探索信号と判定されなかった場合には返答信号の出力を行わないように設定することが可能となる。
【００１７】
第４発明は、上記第１発明において、前記ＩＣ回路部は、前記アクセスポインタ情報として、前記他の無線タグ回路素子の識別子またはその一部を記憶保持することを特徴とする。
【００１８】
これにより、まず１つの無線タグ回路素子にアクセスしてそのＩＣ回路部から他の無線タグ回路素子の識別子を取得し、その後その取得した識別子を用いて他の無線タグ回路素子にアクセスし読み取りを行うことで、迅速に効率よく大容量の情報の読み取りを行うことができる。
【００１９】
第５発明は、上記第１発明において、前記ＩＣ回路部は、前記アクセスポインタ情報として、前記他の無線タグ回路素子の識別子を取得するための情報を記憶保持することを特徴とする。
【００２０】
これにより、まず１つの無線タグ回路素子にアクセスしてそのＩＣ回路部から他の無線タグ回路素子の識別子を取得するための情報を取得し、その後それを用いて当該他の無線タグ回路素子の識別子を取得し、そしてその取得した識別子を用いて他の無線タグ回路素子にアクセスし読み取りを行うことで、迅速に効率よく大容量の情報の読み取りを行うことができる。
【００２１】
第６発明は、上記第１乃至第５発明のいずれかにおいて、前記ＩＣ回路部は、複数の前記他の無線タグ回路素子に係わる前記アクセスポインタ情報を記憶保持することを特徴とする。
【００２２】
１つの無線タグ回路素子からポインタ情報による関連づけで複数の他の無線タグ回路素子へと読み取りを行っていくことで、迅速に効率よく上記大容量の情報の読み取りを行うことができる。
【００２３】
第７発明は、上記第１乃至第６発明のいずれかにおいて、前記ＩＣ回路部は、前記アクセスポインタ情報に加え、前記他の無線タグ回路素子の記憶内容に係わる関連情報を記憶保持することを特徴とする。
【００２４】
これにより、他の無線タグ回路素子の記憶内容等を表示させることが可能となる。
【００２５】
上記目的を達成するために、本願第８発明は、情報を記憶するＩＣ回路部とこのＩＣ回路部に接続されるタグ側アンテナとを備えた無線タグ回路素子を複数有する無線タグラベルであって、前記複数の無線タグ回路素子のうち一の無線タグ回路素子の前記ＩＣ回路部は、他の無線タグ回路素子へアクセスするためのアクセスポインタ情報を記憶保持することを特徴とする。
【００２６】
本願第８発明においては、無線タグ回路素子に大容量の情報を記憶させたいときに１つの無線タグラベルに備えられた複数の無線タグ回路素子にその記憶させたい情報を分割して各無線タグ回路素子に記憶させる。そして、読み出し時には、それら複数の無線タグ回路素子のうち所定の１つの無線タグ回路素子にアクセスする。これにより、例えば当該所定の１つの無線タグ回路素子には上記分割された情報を記憶せず、残りの他の無線タグ回路素子に分割情報をそれぞれ分担して記憶する場合は、上記所定の無線タグ回路素子のポインタ情報に基づいて取得したい分割情報に係る他の無線タグ回路素子のＩＣ回路部にアクセスすれば、対応する情報を容易に得ることができる。あるいは、上記所定の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００２７】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００２８】
第９発明は、上記第８発明において、前記複数の無線タグ回路素子のうち、少なくとも１つの無線タグ回路素子の前記ＩＣ回路部は、質問器から不特定検索信号又は探索信号の受信時に当該信号に対し返答信号を出力するか否かを設定可能に構成されていることを特徴とする。
【００２９】
本願第９発明においては、無線タグ回路素子に大容量の情報を記憶させたいときには、複数の無線タグ回路素子を用意してその記憶させたい情報を分割して各無線タグ回路素子に記憶させる。このとき、それら無線タグ回路素子は、不特定検索信号又は探索信号に対して応答する特性とするか、不特定検索信号又は探索信号に対しては応答せず例えば特定検索信号のみに応答する特性とするかを自在に切り替え設定可能であることから、例えば上記複数の無線タグ回路素子のうち所定の１つの無線タグ回路素子のみ、すなわち、分割した情報のうち最初に読み出すべき情報を記憶した１つの無線タグ回路素子のみ不特定検索信号又は探索信号に対して応答する特性とし、残りについては不特定検索信号又は探索信号に対して応答しない特性とすることができる。
【００３０】
そして、読み出し時には、不特定検索信号又は探索信号を送信して上記所定の１つの無線タグ回路素子にアクセスする。これにより、例えば当該所定の１つの無線タグ回路素子には上記分割された情報を記憶せず、残りの他の無線タグ回路素子に分割情報をそれぞれ分担して記憶する場合は、上記所定の無線タグ回路素子のポインタ情報に基づいて取得したい分割情報に係る他の無線タグ回路素子のＩＣ回路部にアクセスすれば、対応する情報を容易に得ることができる。あるいは、上記所定の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００３１】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００３２】
第１０発明は、上記第８又は第９発明において、前記複数の無線タグ回路素子の前記ＩＣ回路部に記憶した情報に対応した所定の印字領域を備えることを特徴とする。
【００３３】
これにより、例えば、複数の無線タグ回路素子に分割記憶させた大容量の情報の内容等を印字することで、当該内容を操作者に一目瞭然に明示することができる。
【００３４】
上記目的を達成するために、本願第１１発明は、情報を記憶するＩＣ回路部とこのＩＣ回路部に接続されたタグ側アンテナとを有する無線タグ回路素子との間で無線通信により情報の送受信を行う装置側アンテナと、一の前記無線タグ回路素子の識別子を含む第１アクセス情報を生成し、前記装置側アンテナを介して前記一の無線タグ回路素子へ送信し、当該一の無線タグ回路素子の前記ＩＣ回路部に記憶された、他の無線タグ回路素子へアクセスするためのアクセスポインタ情報を含む情報の読み取りを行う第１情報アクセス手段と、この第１情報アクセス手段で取得した前記アクセスポインタ情報に基づく第２アクセス情報を生成し、前記装置側アンテナを介して前記他の無線タグ回路素子へ送信し、当該他の無線タグ回路素子の前記ＩＣ回路部に記憶された情報の読み取りを行う第２情報アクセス手段とを有することを特徴とする。
【００３５】
本願第１１発明においては、無線タグ回路素子に大容量の情報を記憶させたいときには、複数の無線タグ回路素子を用意してその記憶させたい情報を分割して各無線タグ回路素子に記憶させる。そして、読み出し時には、第１情報アクセス手段でそれら複数の無線タグ回路素子の一の無線タグ回路素子にアクセスして、そのＩＣ回路部から他の無線タグ回路素子のポインタ情報を取得する。その後、第２情報アクセス手段で上記取得したポインタ情報に基づき他の無線タグ回路素子にアクセスする。
【００３６】
これにより、例えば一の無線タグ回路素子には上記分割された情報を記憶せず、複数の他の無線タグ回路素子に分割情報をそれぞれ分担して記憶する場合は、一の無線タグ回路素子のポインタ情報に基づいて取得したい分割情報に係る当該他の無線タグ回路素子のＩＣ回路部にアクセスすれば、対応する情報を容易に得ることができる。あるいは、一の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００３７】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００３８】
第１２発明は、上記第１１発明において、前記第１情報アクセス手段で取得した前記アクセスポインタ情報に基づき、前記他の無線タグ回路素子の識別子を生成する識別子生成手段を有し、前記第２情報アクセス手段は、前記識別子生成手段で生成した前記識別子を含む前記第２アクセス情報を生成することを特徴とする。
【００３９】
これにより、まず第１情報アクセス手段で一の無線タグ回路素子にアクセスしてそのＩＣ回路部から他の無線タグ回路素子のポインタ情報を取得後、そのポインタ情報から識別子生成手段で生成した他の無線タグ回路素子の識別子を取得し、その後その取得した識別子を用いて第２情報アクセス手段で他の無線タグ回路素子にアクセスし読み取りを行うことで、迅速に効率よく大容量の情報の読み取りを行うことができる。
【００４０】
第１３発明は、上記第１１又は第１２発明において、前記第１情報アクセス手段で前記アクセスポインタ情報とともに取得した前記他の無線タグ回路素子の記憶内容に係わる関連情報のうち、少なくとも一部を表示する表示手段を有することを特徴とする。
【００４１】
これにより、他の無線タグ回路素子の記憶内容等を表示し、操作者に視認させることが可能となる。
【００４２】
第１４発明は、上記第１３発明において、第１情報アクセス手段は、前記ＩＣ回路部から複数の他の無線タグ回路素子へアクセスするための複数の前記アクセスポインタ情報の読み取りを行い、前記表示手段は、前記第１情報アクセス手段で前記複数のアクセスポインタ情報とともに取得した、前記複数の他の無線タグ回路素子それぞれの記憶内容に係わる複数の関連情報の、少なくとも一部を表示することを特徴とする。
【００４３】
これにより、複数の他の無線タグ回路素子の記憶内容等を表示し、操作者に視認させることが可能となる。
【００４４】
第１５発明は、上記第１４発明において、前記表示手段は、前記複数の他の無線タグ回路素子の記憶内容に係わるすべての前記関連情報を一覧表示することを特徴とする。
【００４５】
これにより、複数の他の無線タグ回路素子の記憶内容等をすべて一覧表示し、操作者に確実に視認させることが可能となる。
【００４６】
第１６発明は、上記第１４発明において、前記表示手段は、前記複数の他の無線タグ回路素子の記憶内容に係わるすべての前記関連情報をスクロール可能に表示することを特徴とする。
【００４７】
これにより、複数の他の無線タグ回路素子の記憶内容等をすべてスクロール可能に表示し、操作者に確実に視認させることが可能となる。
【００４８】
第１７発明は、上記第１６発明において、前記表示手段で表示された、前記複数の他の無線タグ回路素子の記憶内容それぞれに係わる複数の関連情報の少なくとも一部の表示に基づき、前記第２情報アクセス手段の読み取り対象としての前記他の無線タグ回路素子を操作者が選択操作可能な操作手段を有する。
【００４９】
これにより、操作者が、表示手段で複数の他の無線タグ回路素子の記憶内容等の表示を見た後、それらのうちどれについて情報読み出しを行うかを選択することができる。
【００５０】
第１８発明は、上記第１１乃至第１７発明のいずれかにおいて、前記第１情報アクセス手段は、前記ＩＣ回路部から読み取った情報に前記アクセスポインタ情報が含まれるかどうかを判定する質問器側判定手段を備え、前記第２情報アクセス手段は、前記質問器側判定手段による判定が満たされた場合に、前記アクセスポインタ情報に基づく前記第２アクセス情報を生成し、前記他の無線タグ回路素子の前記ＩＣ回路部に記憶された情報の読み取りを行うことを特徴とする。
【００５１】
これにより、アクセスポインタ情報を含む無線タグ回路素子とアクセスポインタ情報を含まない通常の無線タグ回路素子との両方に対し質問器側から情報読み取りを行うことができる。この結果、上記分割した大容量の情報の最後部分について、もうそれ以上他の無線タグ回路素子への関連づけを行う必要のない、アクセスポインタ情報を含まない通常の態様で無線タグ回路素子に記憶を行うようにすることで、各無線タグ回路素子からの情報読み取りを順に円滑に行い、上記大容量の情報を確実に取得することができる。
【００５２】
上記目的を達成するために、本願第１９発明は、情報を記憶するＩＣ回路部を有する無線タグ回路素子を備えたタグテープが巻回されたタグテープロールを着脱可能なタグテープロールホルダ部と、前記タグテープロールから繰り出される前記タグテープの長手方向に連続的に配置された複数の前記無線タグ回路素子との間で、無線通信により情報の送受信を行う装置側アンテナと、前記ＩＣ回路部へのアクセス情報を生成するアクセス情報生成手段と、一の無線タグ回路素子から他の無線タグ回路素子へアクセスするためのアクセスポインタ情報を生成するアクセスポインタ情報生成手段と、少なくとも前記アクセスポインタ情報を含む前記アクセス情報を前記装置側アンテナを介し前記無線タグ回路素子へ送信して前記ＩＣ回路部への情報書き込みを行う装置側情報アクセス手段とを有することを特徴とする。
【００５３】
本願第１９発明においては、アクセス情報生成手段で生成したアクセス情報を、装置側情報アクセス手段で、タグテープに配置された無線タグ回路素子のＩＣ回路部へ送信し、情報書込みを行う。このとき、アクセス情報には、アクセスポインタ情報生成手段で生成したアクセスポインタ情報が含まれている。この場合、無線タグ回路素子に大容量の情報を記憶させたいときには、複数の無線タグ回路素子を用意してその記憶させたい情報を分割して各無線タグ回路素子に記憶させるようにし、読み出し時には、それら複数の無線タグ回路素子のうち所定の１つの無線タグ回路素子にアクセスする。これにより、例えば当該所定の１つの無線タグ回路素子には上記分割された情報を記憶せず、残りの他の無線タグ回路素子に分割情報をそれぞれ分担して記憶する場合は、上記所定の無線タグ回路素子のポインタ情報に基づいて取得したい分割情報に係る他の無線タグ回路素子のＩＣ回路部にアクセスすれば、対応する情報を容易に得ることができる。あるいは、上記所定の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００５４】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００５５】
第２０発明は、上記第１９発明において、前記装置側情報アクセス手段は、前記ＩＣ回路部を、質問器から不特定検索信号又は探索信号の受信時に当該信号に対し返答信号を出力するか否かを設定可能とすることを特徴とすることを特徴とする。
【００５６】
本願第２０発明においては、無線タグ回路素子に大容量の情報を記憶させたいときには、複数の無線タグ回路素子を用意してその記憶させたい情報を分割して装置側情報アクセス手段を介して各無線タグ回路素子に記憶させる。このとき、装置側情報アクセス手段は、上記ＩＣ回路部を、不特定検索信号又は探索信号に対して応答する特性とするか、不特定検索信号又は探索信号に対しては応答せず例えば特定検索信号のみに応答する特性とするかを自在に切り替え設定可能であることから、例えば上記複数の無線タグ回路素子のうち所定の１つの無線タグ回路素子のみ、すなわち、分割した情報のうち最初に読み出すべき情報を記憶した１つの無線タグ回路素子のみ不特定検索信号又は探索信号に対して応答する特性とし、残りについては不特定検索信号又は探索信号に対して応答しない特性とすることができる。
【００５７】
そして、読み出し時には、不特定検索信号又は探索信号を送信して上記所定の１つの無線タグ回路素子にアクセスする。これにより、例えば当該所定の１つの無線タグ回路素子には上記分割された情報を記憶せず、残りの他の無線タグ回路素子に分割情報をそれぞれ分担して記憶する場合は、上記所定の無線タグ回路素子のポインタ情報に基づいて取得したい分割情報に係る他の無線タグ回路素子のＩＣ回路部にアクセスすれば、対応する情報を容易に得ることができる。あるいは、上記所定の無線タグ回路素子にも上記分割された情報を記憶する場合には、当該無線タグ回路素子のＩＣ回路部に記憶した分の上記分割された情報を得るとともに、上記ポインタ情報に基づき他の無線タグ回路素子のＩＣ回路部に記憶した分の上記分割された情報を得ることができる。
【００５８】
このように、大容量の情報を分割記憶させた複数の無線タグ回路素子を単純にすべて呼び出して読み取りを行うのでなく、１つの無線タグ回路素子からポインタ情報による関連づけで他の無線タグ回路素子へと読み取りを行っていくことで、迅速に効率よく上記大容量の情報の読み取りを行うことができる。
【００５９】
第２１発明は、上記第１９又は第２０発明において、前記無線タグ回路素子に書き込む情報の情報量が１つの前記無線タグ回路素子の記憶容量より大きいかどうかを判定する装置側判定手段を有し、前記装置側情報アクセス手段は、前記装置側判定手段での判定結果に応じ、前記アクセス情報を複数の前記無線タグ回路素子に分割して書き込むことを特徴とする。
【００６０】
これにより、情報量が多い場合には情報分割を行って各無線タグ回路素子へと書き込む一方、情報量が少ない場合には情報分割を行わず通常通り１つの無線タグ回路素子へすべて書込みを行うようにすることができる。
【発明の効果】
【００６１】
本発明によれば、限られた記憶容量の中で、迅速に効率よく大容量の情報の読み取りを行うことができる。
【発明を実施するための最良の形態】
【００６２】
以下、本発明の一実施の形態を図面を参照しつつ説明する。
【００６３】
図１は、本実施形態の無線タグ回路素子の適用対象である無線タグ情報読み取りシステム全体を表す概念的なシステム構成図である。
【００６４】
図１に示す無線タグ情報読み取りシステムは、この例ではプロジェクタ１０１、ノートパソコン１０２、ノートパソコン１０３に、本実施形態による無線タグ回路素子（詳細は後述）を備えた無線タグラベルＴ１，Ｔ２，Ｔ３がそれぞれ貼付されている。そして、リーダ（質問器、無線タグ情報読み取り装置）２００が、それら無線タグラベルＴ１，Ｔ２，Ｔ３にそれぞれ備えられた無線タグ回路素子にアクセスする（この例では記憶された所定の情報を読み取る）。
【００６５】
図２は、上記無線タグラベルＴ１の全体概略構造の一例を表す図であり、図２（ａ）は無線タグラベルＴ１の上面図、図２（ｂ）は下面図である。これら図２（ａ）及び図２（ｂ）において、無線タグラベルＴ１は、例えば略シート形状の基材２（ラベル基材）と、この基材２に配置された、情報を記憶するＩＣ回路部１５０とこのＩＣ回路部１５０に接続されるアンテナ１５１とをそれぞれ備えた複数個（この例では６個）の無線タグ回路素子Ｔo0（以下全て、図面の方も），Ｔo1，Ｔo2，Ｔo3，Ｔo4，Ｔo5を備えている。
【００６６】
図２（ａ）に示すように、無線タグラベルＴ１の基材２の表側（上面）には、対応する印字情報（この例では「プロジェクタ」）を表記した領域Ｓを備えている。なお、これら領域Ｓは、文字でなく図形や符号、あるいは単なる色塗りや模様等であってもよい。
【００６７】
図３は、上記無線タグラベルＴ１に備えられた上記無線タグ回路素子Ｔo0，Ｔo1，Ｔo2，Ｔo3，Ｔo4，Ｔo5の機能的構成の一例を表すブロック図である。
【００６８】
図３において、無線タグ回路素子Ｔo0〜Ｔo5は、上記リーダ２００のアンテナ２１０（装置側アンテナ）と短波帯(例えば13.56MHz)、ＵＨＦ帯、マイクロ波帯等の高周波を用いて非接触で信号の送受信を行う上記アンテナ１５１(タグ側アンテナ)と、このアンテナ１５１に接続された上記ＩＣ回路部１５０とを有している。
【００６９】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００７０】
変復調部１５６は、アンテナ１５１により受信された上記リーダ２００（質問器）のアンテナ２１０からの通信信号の復調を行うと共に、上記制御部１５７からの返信信号に基づき、上記アンテナ２１０より受信された搬送波を変調反射する。
【００７１】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００７２】
図４（ａ）〜図４（ｆ）は、上記無線タグラベルＴ１に備えられた上記無線タグ回路素子Ｔo1, Ｔo2, Ｔo3, Ｔo4, Ｔo5の上記メモリ部１５５に記憶されたデータ内容を概念的に表す図である。
【００７３】
図４（ａ）は無線タグラベルＴ１の無線タグ回路素子Ｔo0（メインタグ）のデータ内容を表しており、無線タグ回路素子の識別子としてのタグＩＤ（この例では「ＩＤ０」）と、記憶内容に関連する情報（この例では対象機器がプロジェクタ１０１であることを表す情報）と、残りの５つの無線タグ回路素子（サブタグ）Ｔo1，Ｔo2，Ｔo3，Ｔo4，Ｔo5の上記アクセスポインタ情報（この例では各無線タグ回路素子のタグＩＤそのもの）及びそれぞれの記憶内容に関連する情報（この例では「管理」、「保守」、「機能」、「状況」、「取説」）とを、メモリ部１５５に記憶保持している。
【００７４】
図４（ｂ）は無線タグラベルＴ１の無線タグ回路素子Ｔo1（第１サブタグ）のデータ内容を表しており、タグ識別情報としてのタグＩＤ（この例では「ＩＤ１」）と、このタグが分担して記憶する物品情報等、すなわちこの例では対象機器であるプロジェクタ１０１の管理情報（固定資産番号「１２３４５」、管理者名「＊＊＊＊」、設置箇所「第３会議室」等）とを、メモリ部１５５に記憶保持している。
【００７５】
図４（ｃ）は無線タグラベルＴ１の無線タグ回路素子Ｔo2（第２サブタグ）のデータ内容を表しており、タグ識別情報としてのタグＩＤ（この例では「ＩＤ２」）と、このタグが分担して記憶する物品情報等、すなわちこの例では対象機器であるプロジェクタ１０１の保守情報（交換ランプの型式「DEF-123」、その発注先名「GHIJ商会」、発注先の電話番号「４５６−７８９０」等）とを、メモリ部１５５に記憶保持している。
【００７６】
図４（ｄ）は無線タグラベルＴ１の無線タグ回路素子Ｔo3（第３サブタグ）のデータ内容を表しており、タグ識別情報としてのタグＩＤ（この例では「ＩＤ３」）と、このタグが分担して記憶する物品情報等、すなわちこの例では対象機器であるプロジェクタ１０１の機能情報（解像度「XGA」、明るさ「  5000lm」、方式  「DLP」、接続端子名「＊＊＊＊＊＊＊」等）とを、メモリ部１５５に記憶保持している。
【００７７】
図４（ｅ）は無線タグラベルＴ１の無線タグ回路素子Ｔo4（第４サブタグ）のデータ内容を表しており、タグ識別情報としてのタグＩＤ（この例では「ＩＤ４」）と、このタグが分担して記憶する物品情報等、すなわちこの例では対象機器であるプロジェクタ１０１の現在状況情報（最終ランプ交換日付「２００４／１１／１０」、ランプ保管場所「＊＊＊」等）とを、メモリ部１５５に記憶保持している。
【００７８】
図４（ｆ）は無線タグラベルＴ１の無線タグ回路素子Ｔo5（第５サブタグ）のデータ内容を表しており、タグ識別情報としてのタグＩＤ（この例では「ＩＤ５」）と、このタグが分担して記憶する物品情報等、すなわちこの例では対象機器であるプロジェクタ１０１の取扱説明書情報（ランプ交換方法「＊＊＊＊」、調整方法「＊＊＊」、ＯＦＦ「＊＊＊」等）とを、メモリ部１５５に記憶保持している。
【００７９】
なお、以上は、対象機器がプロジェクタ１０１である無線タグラベルＴ1の各無線タグ回路素子Ｔo0〜Ｔo5を例にとって説明したが、他の対象機器、例えばパソコン１０２に添付された無線タグラベルＴ2（「PC1」の印字がなされている）やパソコン１０３に添付された無線タグラベルＴ3（「PC2」の印字がなされている）についても、同様の複数の無線タグ回路素子を備えている。そして、それらのうち１つの無線タグ回路素子が、タグ識別情報としてのタグＩＤと、記憶内容に関連する情報（対象機器がパソコン１０２又はパソコン１０３であることを表す情報）と、残りの無線タグ回路素子（サブタグ）の上記アクセスポインタ情報及びそれぞれの記憶内容に関連する情報とを、メモリ部１５５に記憶保持している。
【００８０】
図５は、上記リーダ２００の詳細機能を表す機能ブロック図である。この図５において、リーダ（この例では携帯型）２００は、無線タグ回路素子Ｔo0〜Ｔo5の上記アンテナ１５１との間で無線通信により信号の授受を行うアンテナ２１０と、このアンテナ２１０を介し上記無線タグ回路素子Ｔo0〜Ｔo5のＩＣ回路部１５０へアクセスする（この例では読み取りを行う）とともに、無線タグ回路素子Ｔo0〜Ｔo5から読み出された信号を処理する高周波回路２０１と、高周波回路２０１を介し無線タグ回路素子Ｔo0〜Ｔo5のＩＣ回路部１５０から読み出された信号を処理して情報を読み出すとともに無線タグ回路素子Ｔo0〜Ｔo5のＩＣ回路部１５０へアクセスするためのアクセス情報を生成する機能を含み、リーダ２００全体の動作を制御する制御回路２０２と、操作者が操作可能な適宜のボタン、キー等を備えた操作部（操作手段）２０３と、所定の表示を行う表示部（表示手段）２０４とを有する。
【００８１】
図６は、上記高周波回路２０１の詳細機能構成を表す機能ブロック図である。
【００８２】
図６において、高周波回路２０１は、アンテナ２１０を介し無線タグ回路素子Ｔo0〜Ｔo5に対して信号を送信する送信部２１２と、アンテナ２１０により受信された無線タグ回路素子Ｔo0〜Ｔo5からの反射波を入力する受信部２１３と、送受分離器２１４とから構成される。
【００８３】
送信部２１２は、無線タグ回路素子Ｔo0〜Ｔo5のＩＣ回路部１５０の無線タグ情報にアクセスする(読み取り／書き込みを行う)ための搬送波を発生させる搬送波発生部として機能する発振回路２１５と、上記制御回路２０２から供給される信号に基づいて上記搬送波発生部により発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記搬送波発生部により発生される搬送波は、例えば短波帯(13.56MHz等)、ＵＨＦ帯、マイクロ波帯等の高周波を用いており、上記送信アンプ２１７の出力は、送受分離器２１４を介しアンテナ２１０に伝達されて無線タグ回路素子Ｔo0〜Ｔo5のＩＣ回路部１５０に供給される。なお、送受される無線タグ情報は上記のように変調した信号に限られず、単なる搬送波のみの場合もある。
【００８４】
受信部２１３は、アンテナ２１０で受信された無線タグ回路素子Ｔo0〜Ｔo5からの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔo0〜Ｔo5からの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００８５】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このように、リーダ２００では、この例ではＩ−Ｑ直交復調によって無線タグ回路素子Ｔo0〜Ｔo5からの反射波の復調が行われる。
【００８６】
制御回路２０２は、上記高周波回路送信部２１２への増幅制御信号及び変調制御信号を出力するとともに、上記高周波回路受信部２１３からの受信信号を入力した後無線タグ回路素子Ｔo0〜Ｔo5から読み出された信号を処理するための所定の演算処理を行う。
【００８７】
図７は、この制御回路２０２の詳細機能を表す機能ブロック図である。
【００８８】
図７において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。
【００８９】
以上の構成において、本実施形態の特徴は、大容量の情報（この例では対象機器であるプロジェクタ１０１、パソコン１０２、パソコン１０３に関わる前述の各種情報）を分割して複数の無線タグ回路素子Ｔo0〜Ｔo5等に分担し、最初に１つの無線タグ回路素子Ｔo0（メインタグ）へアクセスしてこれに記憶された他の無線タグ回路素子Ｔo1〜Ｔo5（サブタグ）へのアクセスポインタ情報（上記の例ではタグＩＤ）を取得し、それに基づき無線タグ回路素子Ｔo1〜Ｔo5（サブタグ）へアクセスを行うようにすることにある。
【００９０】
図８（ａ）〜（ｃ）は、上記のように順次アクセス（情報読み取り）操作を行っていくときに表示部２０４に表示される表示の例を表す図である。リーダ２００はまず最初に不特定検索信号（又は探索信号）を出力する。このとき、無線タグ回路素子Ｔo0等のメインタグと、その他の無線タグ回路素子Ｔo1〜Ｔo5等はタグＩＤの付与態様が異なっており、不特定検索信号又は探索信号にはサブタグは応答しないようになっている。例えば、メインタグは「１１１１」で始まるＩＤ、サブタグはそれ以外で始まるＩＤとなっている場合には、リーダ２００は最初に１１１１で始まるタグを指定して探索を行うようにする。
【００９１】
そして、通信範囲内にあり上記不特定検索信号に応答した無線タグ回路素子からの受信信号に基づき一覧表示を行う。図８（ａ）はこのときの表示例を表しており、図示の例では前述の図１に示されるシステムにおいてプロジェクタ１０１、パソコン１０２、パソコン１０３に添付された無線タグラベルＴ１，Ｔ２，Ｔ３それぞれに備えられる無線タグ回路素子（メインタグ）Ｔo0等のすべてから応答があり、これに応じて「プロジェクタ」「ＰＣ１」「ＰＣ２」の表示がされている。
【００９２】
操作者が操作部２０３を介して上記表示の中から１つを選択すると、その選択された無線タグ回路素子（メインタグ）Ｔo0等より読み出された対応する他の無線タグ回路素子（サブタグ）Ｔo1〜Ｔo5等の記憶内容に関連する情報が表示部２０４に表示される。図８（ｂ）は、図８（ａ）の表示画面において「プロジェクタ」が選択されたときの表示例を表しており、図示の例では前述の図４（ａ）に示したメモリ部１５５における記憶内容に対応し、「管理」「保守」「機能」「状況」「取説」の表示がされている。
【００９３】
操作者が操作部２０３を介して上記表示の中から１つを選択すると、その選択に対応した無線タグ回路素子（サブタグ）Ｔo1〜Ｔo5等のタグＩＤを指定してリーダ２００より特定検索信号が出力され、当該無線タグ回路素子から対応する情報を読み取り、その読み取った情報の内容が表示部２０４に表示される。図８（ｃ）は図８（ｂ）の表示画面において「保守」が選択されたときの表示例を表しており、図示の例では前述の図４（ｃ）に示したメモリ部１５５における記憶内容に対応し、プロジェクタ１０１の保守情報（交換ランプの型式「DEF-123」、その発注先名「GHIJ紹介商会」、その電話番号「456-7890」等）の表示がされている。
【００９４】
図９は、上記制御回路２０２の実行する制御手順を表すフローチャートである。
【００９５】
まずステップＳ５０５において、高周波回路２０１及びアンテナ２１０を介し、無線タグラベルＴ１，Ｔ２，Ｔ３の無線タグ回路素子（メインタグ）Ｔo0等のＩＣ回路部１５０に記憶された情報を読み取るための信号を送信する。詳細には、例えば、IDの最初の４ビットが１１１１であればそれ以降のビットは任意である不特定のタグを指定してその全ID及びその関連情報(対応する機器情報)を取得するための探索信号（又は不特定検索信号）を生成して高周波回路２０１を介して通信範囲内に存在する無線タグ回路素子（この例ではタグラベルＴ１，Ｔ２，Ｔ３に係るメインタグＴo0等）に送信され、返信を促す。
【００９６】
その後、ステップＳ５１０に移り、上記探索信号、不特定検索信号等に対応し無線タグ回路素子Ｔo0等から送信（返信）されたリプライ信号がアンテナ２１０を介し受信され、高周波回路２０１を介し制御回路２０２へ取り込まれたかどうかを判定する。
【００９７】
リプライ信号が受信されていなければ判定が満たされず、ステップＳ５０５に戻って同様の手順を繰り返す。また、探索対象であるメインタグが複数ある場合は、全てのメインタグからリプライ信号が受信されるまで繰り返す。全てのリプライ信号が受信されたらステップＳ５１０の判定が満たされ、ステップＳ５１５へ移る。
【００９８】
ステップＳ５１５では、上記無線タグラベルＴ１，Ｔ２，Ｔ３の無線タグ回路素子Ｔo0等からそれぞれ受信されたリプライ信号に応じ、対応する機器情報（「プロジェクタ」「ＰＣ１」「ＰＣ２」等）を読み出して取得し、対応する表示信号を表示部２０４へ出力して表示を行わせる（図８（ａ）参照）。
【００９９】
次に、ステップＳ５２０において、ステップＳ５１５での表示部２０４の表示に応じ操作部２０３にて選択操作信号が入力されたかどうかを判定する。表示部２０４に表示した機器情報のうちいずれかの選択操作信号が入力されたら、判定が満たされ、ステップＳ５２５へ移る。
【０１００】
ステップＳ５２５では、上記ステップＳ５２０で選択された機器に対応した無線タグラベルＴ１〜Ｔ３の無線タグ回路素子（メインタグ）Ｔo0等から読み出した情報を取得し、ステップＳ５３０でその情報に対応した表示信号を表示部２０４へ出力して表示を行わせる（図８（ｂ）参照）。このとき、ステップＳ５２５において、ステップＳ５１０でメインタグＴo0等からその全記憶内容を読出し、一旦ＲＡＭに保存しているので、そのＲＡＭからステップＳ５２０で選択された機器に対応した情報を取得する。
【０１０１】
次に、ステップＳ５３５において、ステップＳ５３０での表示部２０４の表示に応じ操作部２０３にて選択操作信号が入力されたかどうかを判定する。表示部２０４に表示した情報（各サブタグの記憶内容を表す情報）のうちいずれかの選択操作信号が入力されたら、判定が満たされ、ステップＳ５４０へ移る。
【０１０２】
ステップＳ５４０では、上記ステップＳ５３５で選択された無線タグ回路素子（サブタグ）Ｔo1〜Ｔo5等のＩＣ回路部１５０に記憶された情報を読み取るための信号を送信する。詳細には、例えば、特定のタグのＩＤを指定してその指定した無線タグ回路素子からのみ情報を読取るための特定検索信号を生成して高周波回路２０１を介して当該無線タグ回路素子（サブタグＴo1〜Ｔo5等）に送信され、返信を促す。
【０１０３】
その後、ステップＳ５４５に移り、上記特定検索信号に対応し指定された無線タグ回路素子Ｔo1〜Ｔo5等から送信（返信）されたリプライ信号がアンテナ２１０を介し受信され、高周波回路２０１を介し制御回路２０２へ取り込まれたかどうかを判定する。
【０１０４】
リプライ信号が受信されていなければ判定が満たされず、ステップＳ５４０に戻って同様の手順を繰り返す。リプライ信号が受信されたらステップＳ５４５の判定が満たされ、ステップＳ５５０へ移る。
【０１０５】
ステップＳ５５０では、上記無線タグ回路素子（サブタグ）Ｔo1〜Ｔo5等から読み出した情報に対応する表示信号を表示部２０４へ出力して表示を行わせ（図８（ｃ）参照）、このフローを終了する。
【０１０６】
図１０は、上記無線タグ回路素子（メインタグ）Ｔo0等のＩＣ回路部１５０に配置された、制御部１５７が実行する制御手順を表すフローチャートである。図１０において、まずステップＳ６１０において、リーダ２００のアンテナ２１０から送信された信号がアンテナ１５１により受信されたかどうかを判定する。受信されていれば判定が満たされ、ステップＳ６２０に移る。
【０１０７】
ステップＳ６２０では、ステップＳ６１０にて受信が確認された信号が不特定検索信号又は当該無線タグ回路素子Ｔo0等のタグＩＤに合致した探索信号であるかどうかを判定する。判定が満たされなかった場合はステップＳ６１０に戻って同様の手順を繰り返し、判定が満たされた場合はステップＳ６３０に移る。
【０１０８】
ステップＳ６３０では、ＩＣ回路部１５０の記憶情報、すなわち、タグＩＤ、記憶内容に関連する情報と、他の無線タグ回路素子（サブタグ）Ｔo1，Ｔo2，Ｔo3，Ｔo4，Ｔo5等のアクセスポインタ情報及びそれぞれの記憶内容に関連する情報（図４（ａ）参照）を変復調部１５６によりアンテナ１５１を介してリーダ２００のアンテナ２１０に送信し、このフローを終了する。
【０１０９】
図１１は、上記無線タグ回路素子（サブタグ）Ｔo1〜Ｔo5等のＩＣ回路部１５０に配置された、制御部１５７が実行する制御手順を表すフローチャートである。図１１において、まずステップＳ６６０において、リーダ２００のアンテナ２１０から送信された信号がアンテナ１５１により受信されたかどうかを判定する。受信されていれば判定が満たされ、ステップＳ６７０に移る。
【０１１０】
ステップＳ６７０では、ステップＳ６６０にて受信が確認された信号が当該無線タグ回路素子を特定した特定検索信号であるかどうかを判定する。判定が満たされなかった場合はステップＳ６６０に戻って同様の手順を繰り返し、判定が満たされた場合はステップＳ６８０に移る。
【０１１１】
ステップＳ６８０では、ＩＣ回路部１５０の記憶情報、すなわち、タグＩＤ、当該タグが分担して記憶する情報（管理情報、保守情報、機能情報、状況情報、取説情報等）等（図４（ｂ）〜（ｆ）参照）を変復調部１５６によりアンテナ１５１を介してリーダ２００のアンテナ２１０に送信し、このフローを終了する。
【０１１２】
上記のように構成され使用される無線タグラベルＴ１，Ｔ２，Ｔ３であるが、これら無線タグラベルＴ１，Ｔ２，Ｔ３を製造するラベル作成装置３００（無線タグ製造装置）としては、例えば図１２に示す装置が用いられる。
【０１１３】
図１２において、このタグラベル作成装置３００（無線タグ情報書き込み装置）は、所定間隔で無線タグ回路素子Ｔoが備えられたタグテープ３０３を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３のうち上記無線タグ回路素子Ｔo（＝上記Ｔo0〜Ｔo5等）に対応した上記領域Ｓに所定の印字を行う印字ヘッド３０５と、無線タグ回路素子Ｔoとの間で無線通信により情報の送受信を行うアンテナ３０６（装置側アンテナ）と、高周波回路３０１及び制御回路３０２と、タグテープ３０３への印字及び無線タグ回路素子Ｔoへの上記情報書き込みが終了したタグテープ３０３を所定の長さに切断して無線タグラベルＴ（＝上記Ｔ１〜Ｔ３等）とするカッタ３０７とを有する。
【０１１４】
高周波回路３０１及び制御回路３０２は、詳細な説明を省略するが、上記リーダ２００の高周波回路２０１及び制御回路２０２とほぼ同等の機能を備えるものであり、無線タグ回路素子ＴoのＩＣ回路部１５０へのアクセス情報を生成し、装置側アンテナ３０６を介して無線タグ回路素子Ｔoへ送信し、無線タグ回路素子ＴoのＩＣ回路部１５０へ情報書き込みを行う。また制御回路３０２は有線又は無線の通信回線（ネットワーク）を介して他のコンピュータ、サーバ、端末等と接続されており、それらと情報の送受が可能となっている。
【０１１５】
図１３は、無線タグラベルＴの作成時に上記制御回路３０２によって実行される制御手順を表すフローチャートである。
【０１１６】
図１３において、まずステップＳ７０５において、（上記通信回線を介し制御回路３０２に接続された）操作端末等により別途入力された、印字ヘッド３０５で上記無線タグラベルＴの前述の領域Ｓに印字したい印字情報及び無線タグ回路素子Ｔoへの書き込み情報が上記通信回線を介し取得される。なお、上記操作端末等に代えて、タグラベル作成装置３００の図示しない操作部から入力するようにしてもよい。
【０１１７】
その後、ステップＳ７１０に移り、上記ステップＳ７０５で読み込んだ書き込み情報の情報量が所定値（例えば１つの無線タグ回路素子ＴoのＩＣ回路部１５０に記憶可能な上限値）以上であるかどうかを判定する。上限値以上の場合は判定が満たされてステップＳ７１５へ移る。
【０１１８】
その後、ステップＳ７１５では、上記ステップＳ７０５で入力した書き込み情報の情報量に応じて、その情報を分割して記憶する無線タグ回路素子Ｔoの個数ｎを決定し、当該ｎ個に分割する。この個数ｎの決定は、例えば予め制御回路３０２内にテーブルの形で格納保持された、書き込み情報量と無線タグ回路素子Ｔoの個数ｎとの相関とを参照して行うものであり、当該相関においては書き込み情報の量が多くなるほど無線タグ回路素子Ｔoの個数ｎを順次増加させるように定められている。
【０１１９】
そして、ステップＳ７２０に移り、まず前述のメインタグとなる無線タグ回路素子Ｔoの書込処理を行う。すなわち、印字ヘッド３０５を駆動する駆動回路（図示せず）に制御信号を出力して、上記ステップＳ７０５０で入力した印字データのうち、当該無線タグラベルＴに対応する印字を領域Ｓに対して行う（なお各無線タグ回路素子Ｔoごとに個別に印字を行わず図２（ａ）に示したように複数の無線タグ回路素子Ｔoに共通に領域Ｓに印字を行うようにしてもよい）とともに、無線タグ回路素子Ｔoに対し対応する情報（前述の無線タグ回路素子Ｔo0の例ではタグＩＤ、記憶内容に関連する情報、サブタグとなる無線タグ回路素子Ｔoのアクセスポインタ情報及びそれぞれの記憶内容に関連する情報等）の書き込みを行う。すなわち、高周波回路３０１を介し無線タグラベルＴ１の無線タグ回路素子ＴoのＩＣ回路部１５０へのアクセス情報を生成し、装置側アンテナ３０６を介して当該無線タグ回路素子Ｔoへ送信し、ＩＣ回路部１５０に対し、情報書き込みを行う。この結果、例えば図２（ａ）に例示したようなデータ構造の情報が当該無線タグ回路素子ＴoのＩＣ回路部１５０のメモリ部１５５に記憶保持される。
【０１２０】
その後、ステップＳ７２５に移り、前述のサブタグとなる無線タグ回路素子Ｔoの書込処理を行う。すなわち、上記同様、上記ステップＳ７０５で入力した印字データのうち当該無線タグラベルＴに対応する印字を領域Ｓに対して行うとともに、無線タグ回路素子Ｔoに対し対応する情報（前述の無線タグ回路素子Ｔo1の例ではタグＩＤとプロジェクタ１０１の管理情報との書き込みを行う（なお各無線タグ回路素子Ｔoごとに個別に印字を行わず図２（ａ）に示したように複数の無線タグ回路素子Ｔoに共通に領域Ｓに印字を行うようにする場合は、引き続き共通の印字が行われている）。この結果、例えば図２（ｂ）に例示したようなデータ構造の情報が当該無線タグ回路素子ＴoのＩＣ回路部１５０のメモリ部１５５に記憶保持される。
【０１２１】
なお、上記ステップＳ７２０及びステップＳ７２５０における書込み処理では、複数の無線タグ回路素子Ｔoどうしに対する通信の混信を防ぐため、製造時に予め各無線タグ回路素子に付与されている仮ＩＤで各無線タグ回路素子を識別した後、新しいタグＩＤと物品情報等を書き込んでいくことが好ましい。すなわち、１つの無線タグラベルＴに無線タグ回路素子Ｔoをいくつ入れるかが作成する度に変わる場合には、最初からメインタグとサブタグのＩＤを区別して書き込むことをしなくて仮ＩＤを付与しておけばよい。１つの無線タグラベルＴに入れる無線タグ回路素子Ｔｏの個数が固定されている場合は、仮ＩＤをそのままメインタグとサブタグのＩＤとして用いてもよい。この場合、各ＩＤは予めメインタグ（例えば１１１１で始まるＩＤ）と複数のサブタグ（例えば１１１１以外で始まるＩＤ）が含まれるよう付与する。
【０１２２】
ステップＳ７２５が終了したら、ステップＳ７３０において、ｎ個の無線タグ回路素子Ｔo（サブタグ）の書込処理が終了したかどうかを判定する。判定が満たされない場合はステップＳ７２５に戻り、次のサブタグとなる無線タグ回路素子Ｔoの書込処理を行う。こうしてｎ個の無線タグ回路素子Ｔo（サブタグ）の書込み処理が終了するまで、図示しないテープ搬送駆動手段によりテープを駆動して順次無線タグ回路素子Ｔoを送りつつ、対応する分割された情報の書込処理を行う（なお各無線タグ回路素子Ｔoごとに個別に印字を行わず図２（ａ）に示したように複数の無線タグ回路素子Ｔoに共通に領域Ｓに印字を行うようにする場合は、ｎ個の無線タグ回路素子Ｔｏの書込処理の終了時点までに共通の印字も完了するよう制御回路３０２で制御されている）。
【０１２３】
以上のようにしてｎ個の無線タグ回路素子Ｔo（サブタグ）への情報書込が終了しステップＳ７３０の判定が満たされた後は、ステップＳ７３５へ移り、カッタ３０７によりテープを切断して、１個のメインタグとｎ個のサブタグとを備えた無線タグラベルＴとして装置３００外へと排出され、このフローを終了する。
【０１２４】
なお、以上は、テープ搬送方向において最初の無線タグ回路素子Ｔoをメインタグとし、以降の無線タグ回路素子Ｔoをサブタグとしたが、これに限られず、メインタグとする無線タグ回路素子Ｔoは最初のものでなくてもよいし、操作者が適宜設定可能としてもよい。いずれにしても、メインタグ用の無線タグ回路素子Ｔoもサブタグ用の無線タグ回路素子Ｔoも素子そのものの構成は同一（共通）であり、前述したタグＩＤの設定等、適宜の手法によって、前述したように不特定検索信号又は探索信号の受信時に返答を行う上記メインタグとするか、不特定検索信号又は探索信号の受信時に返答を行わない上記サブタグとするかが上記ＩＣ回路部１５０内の制御部１５７においてソフトウェア的に設定されるようになっている。
【０１２５】
また上記はメインタグである無線タグ回路素子Ｔo0のＩＣ回路部１５０に上記分割された物品情報等を記憶しない例であるが、メインタグにも記憶するようにしてもよい。逆に、必ずしもすべてのサブタグに内容が記録されている必要もない。すなわちラベルＴに含まれる一部の無線タグ回路素子（サブタグ）は空き状態としておいて、後で必要に応じて追記、修正しても良い。
【０１２６】
一方、上記ステップＳ７０５で読み込んだ書き込み情報の情報量が上記所定値未満であった場合はステップＳ７１０の判定が満たされず、ステップＳ７４０に移り、１つの無線タグ回路素子Ｔoに対してのみ通常の情報書込み（例えばタグＩＤと記憶させたい物品情報等の書込み）及び印字を行った後、上記ステップＳ７３５でテープ切断を行って１つの無線タグ回路素子Ｔoを備えた無線タグラベルＴを作成し、このフローを終了する。
【０１２７】
なお、上記は、テープ長手方向に一列に無線タグ回路素子Ｔoが配列されて、それらに対し順番に分割情報の書込みを行って無線タグラベルＴを作成する場合を例にとって説明したが、前述の図２（ｂ）に示したように、二列に無線タグ回路素子Ｔoが配列されている場合も上記同様の手法で行えばよい。
【０１２８】
上記において、メインタグである無線タグ回路素子ＴoのＩＣ回路部１５０の制御部１５７が、各請求項記載の、質問器からの信号受信時に、信号が不特定検索信号又は探索信号であるかどうかを判定するタグ側判定手段を構成するともに、このタグ側判定手段による判定結果に応じて、前記質問器側へ返答信号を出力するかしないかを切り替える切替手段をも構成する。
【０１２９】
また、リーダ２００の制御回路２０２が実行する図９に示すフローのステップＳ５０５、ステップＳ５１０、及びステップＳ５２５が、一の無線タグ回路素子の識別子を含む第１アクセス情報（不特定検索信号又は探索信号）を生成し、装置側アンテナを介して一の無線タグ回路素子へ送信し、当該一の無線タグ回路素子のＩＣ回路部に記憶された、他の無線タグ回路素子へアクセスするためのアクセスポインタ情報を含む情報の読み取りを行う第１情報アクセス手段を構成し、ステップＳ５４０及びステップＳ５４５が、第１情報アクセス手段で取得したアクセスポインタ情報に基づく第２アクセス情報（特定検索信号）を生成し、装置側アンテナを介して他の無線タグ回路素子へ送信し、当該他の無線タグ回路素子のＩＣ回路部に記憶された情報の読み取りを行う第２情報アクセス手段を構成する。またステップＳ５４０は、第１情報アクセス手段で取得したアクセスポインタ情報に基づき、他の無線タグ回路素子の識別子を生成する識別子生成手段をも構成している。
【０１３０】
また、タグラベル作成装置３００の制御回路３０２の実行する図１３に示した制御手順のうち、ステップＳ７２０又はステップＳ７２５が、ＩＣ回路部へのアクセス情報を生成するアクセス情報生成手段、少なくともアクセスポインタ情報を含むアクセス情報を装置側アンテナを介し無線タグ回路素子へ送信してＩＣ回路部への情報書き込みを行う装置側情報アクセス手段、一の無線タグ回路素子から他の無線タグ回路素子へアクセスするためのアクセスポインタ情報を生成するアクセスポインタ情報生成手段を構成する。また、ステップＳ７１０が、アクセス情報の情報量が１つの無線タグ回路素子の記憶容量より大きいかどうかを判定する装置側判定手段を構成する。
【０１３１】
以上のように構成した本実施形態においては、無線タグ回路素子に大容量の情報を記憶させたいときには、その記憶させたい情報を分割して複数の無線タグ回路素子Ｔoにそれぞれ記憶させる。このとき、所定の１つの無線タグ回路素子Ｔo0等のみ、不特定検索信号又は探索信号に対して応答するメインタグとし、残りの無線タグ回路素子Ｔo1〜Ｔo5等を不特定検索信号又は探索信号に対して応答しないサブタグとし、それら無線タグ回路素子Ｔo1〜Ｔo5等のポインタ情報をメインタグとしての無線タグ回路素子Ｔo0等のＩＣ回路部１５０に記憶させる。
【０１３２】
そして、読み出し時には、不特定検索信号又は探索信号を送信して上記メインタグである無線タグ回路素子（メインタグ）Ｔo0等にアクセスし、他の無線タグ回路素子（サブタグ）Ｔo1〜Ｔo5のポインタ情報を取得し、さらに入手したい分割情報に係る無線タグ回路素子（サブタグ）Ｔo1〜Ｔo5へ特定検索信号を送信してそのＩＣ回路部１５０にアクセスすることで、対応する情報を容易に得ることができる。このようにして、大容量の情報を分割記憶させた複数の無線タグ回路素子を単純にすべて呼び出して読み取りを行うのでなく、１つの無線タグ回路素子（メインタグ）Ｔo0等からポインタ情報による関連づけで他の無線タグ回路素子（サブタグ）Ｔo1〜Ｔo5へと読み取りを行っていくことで、１個の無線タグ回路素子Ｔoに記録可能な容量は小さくても全体として多くの情報を保持でき、また迅速に効率よく上記大容量の情報の読み取りを行うことができる。
【０１３３】
また、本実施形態では特に、リーダ２００の表示部２０４において、アクセスポインタ情報とともに取得したサブタグとしての無線タグ回路素子Ｔo1〜Ｔo5等の記憶内容に係わる関連情報（又はその一部）を表示することにより、それらサブタグの記憶内容等を表示し（図８（ｂ）参照）、操作者に視認させることができる。また、本実施形態では特に、メインタグである無線タグ回路素子Ｔo0等のＩＣ回路部１５０は、アクセスポインタ情報に加え、サブタグである他の無線タグ回路素子Ｔo1〜Ｔo5等の記憶内容に係わる関連情報を記憶保持している。これにより、上記同様、図８（ｂ）に示すように当該サブタグのＩＣ回路部１５０の記憶内容等を表示させることができる。特に、表示部２０４において、図８（ｂ）のようにすべての関連情報を一覧表示することにより、サブタグの記憶内容等をすべて一覧表示し、操作者に確実に視認させることが可能となる。一覧表示でなくスクロール表示としても同様の効果を得ることができる。また特に、表示部２０４の表示容量と１つの無線タグ回路素子Ｔoに記憶できる関連情報の記憶容量(アクセスポインタに関連する全関連情報を記憶するための記憶容量)を等しくすると効率的で良い（図８（ｂ）及び図８（ｃ）参照）。
【０１３４】
また、本実施形態では特に、リーダ２００に操作者が選択操作可能な操作部２０３を設けることにより、操作者が、上記表示部２０４で表示された各無線タグ回路素子（サブタグ）Ｔo1〜Ｔo5等の記憶内容に係わる関連情報表示を見た後、そのうちどれについて情報読み出しを行うかを選択することができる。
【０１３５】
また、本実施形態では特に、無線タグラベルＴ１等が、各無線タグ回路素子ＴoのＩＣ回路部１５０に記憶した情報に対応した所定の印字領域Ｓを備えている。これにより、複数の無線タグ回路素子Ｔo1〜Ｔo5に分割記憶させた大容量の情報の内容等を印字する（図２（ａ）等参照）ことで、当該内容を操作者に一目瞭然に明示することができる。
【０１３６】
また、本実施形態のタグラベル作成装置３００では特に、書込み情報が１つの無線タグ回路素子Ｔoの記憶容量より大きいかどうかを判定し（図１３のステップＳ７１０）、その判定結果に応じ、当該書込み情報を複数の無線タグ回路素子Ｔoに分割して書き込むかどうかを決定する。これにより、情報量が多い場合には情報分割を行って各無線タグ回路素子Ｔoへと書き込む一方、情報量が少ない場合には情報分割を行わず通常通り１つの無線タグ回路素子Ｔoへすべて書込みを行うようにすることができる。
【０１３７】
なお、本発明は、上記実施形態に限られず、その趣旨と技術思想の範囲を逸脱しない範囲で更に種々の変形が可能である。以下その変形例を説明する。
【０１３８】
（１）各無線タグ回路素子ごとに別ラベルとする場合
上記実施形態では、無線タグ回路素子（メインタグ）Ｔo0等と複数個の無線タグ回路素子（サブタグ）Ｔo1〜Ｔo5等とをすべて１つの（共通の）無線タグラベルＴとしたが、これに限られず、すべての無線タグ回路素子Ｔoをそれぞれ別個のラベルとしてもよい。
【０１３９】
図１４（ａ）〜（ｅ）はそのような変形例を表す図であり、上記実施形態の図２に対応する図である。上記実施形態と同等の部分には同一の符号を付し、説明を省略する。図１４（ａ）はメインタグである無線タグ回路素子Ｔo0を備えた無線タグラベルＴ−０の上面図（図示左側）及び下面図（図示右側）である。同様に、図１４（ｂ）はサブタグである無線タグ回路素子Ｔo１を備えた無線タグラベルＴ−１の上面図（図示左側）及び下面図（図示右側）であり、図１４（ｃ）はサブタグである無線タグ回路素子Ｔo２を備えた無線タグラベルＴ−２の上面図（図示左側）及び下面図（図示右側）であり、図１４（ｄ）はサブタグである無線タグ回路素子Ｔo３を備えた無線タグラベルＴ−３の上面図（図示左側）及び下面図（図示右側）であり、図１４（ｅ）はサブタグである無線タグ回路素子Ｔo４を備えた無線タグラベルＴ−４の上面図（図示左側）及び下面図（図示右側）である。これら図１４（ａ）〜（ｅ）に示すように、各無線タグラベルＴ−１〜Ｔ−４の基材２の表側（上面）には印字領域Ｓを備え、対応する印字情報が表記されている。この例では前述のＲＦＩＤシステムにおける質問器の試作機を対象機器とし、その試作機のテスト状況を記録した場合を例に取っており、各印字領域Ｓにはこれに対応して「ＲＦＩＤ−prototypeＡ  ０」〜「ＲＦＩＤ−prototypeＡ  ４」の印字がなされている。
【０１４０】
図１５（ａ）〜図１５（ｅ）は、上記メインタグである無線タグ回路素子Ｔo0及びサブタグである無線タグ回路素子Ｔo1，Ｔo２, Ｔo３, Ｔo４, Ｔo５の上記メモリ部１５５に記憶されたデータ内容をそれぞれ概念的に表す図である。
【０１４１】
図１５（ａ）は無線タグラベルＴ−０の無線タグ回路素子Ｔo0（メインタグ）のデータ内容を表しており、無線タグ回路素子の識別子としてのタグＩＤ（この例では「ＩＤ０」）と、記憶内容に関連する情報（この例では書き込み日時の情報）と、残りの４つの無線タグ回路素子（サブタグ）Ｔo1，Ｔo2，Ｔo3，Ｔo4の上記アクセスポインタ情報（この例では各無線タグ回路素子のタグＩＤそのもの）及びそれぞれの記憶内容に関連する情報（この例では「仕様」、「評価結果」、「仕様変更」、「変更後結果」）とを、メモリ部１５５に記憶保持している。
【０１４２】
図１５（ｂ）は無線タグラベルＴ−１の無線タグ回路素子Ｔo1（第１サブタグ）のデータ内容を表しており、タグ識別情報としてのタグＩＤ（この例では「ＩＤ１」）と、このタグが分担して記憶する物品情報等、すなわちこの例では対象機器である質問器の仕様情報（出力「５ｍＷ」、アンプのタイプ「Ｇ１」、アンテナのタイプ「Ａ１」、書き込み位置「Ｐ１」等）とを、メモリ部１５５に記憶保持している。
【０１４３】
図１５（ｃ）は無線タグラベルＴ−２の無線タグ回路素子Ｔo2（第２サブタグ）のデータ内容を表しており、タグ識別情報としてのタグＩＤ（この例では「ＩＤ２」）と、このタグが分担して記憶する物品情報等、すなわちこの例では上記質問器の評価結果情報（出力「４．５ｍＷ」、有効エリア「１０ｍｍ」、エラー率「５％」等）とを、メモリ部１５５に記憶保持している。
【０１４４】
図１５（ｄ）は無線タグラベルＴ−３の無線タグ回路素子Ｔo3（第３サブタグ）のデータ内容を表しており、タグ識別情報としてのタグＩＤ（この例では「ＩＤ３」）と、このタグが分担して記憶する物品情報等、すなわちこの例では上記質問器の仕様変更情報（出力「５ｍＷ」、アンプのタイプ「Ｇ２」、アンテナのタイプ「Ａ２」、書き込み位置「Ｐ１」等、すなわち上記図１５（ｃ）に示す初期仕様から変更した内容）とを、メモリ部１５５に記憶保持している。
【０１４５】
図１５（ｅ）は無線タグラベルＴ−４の無線タグ回路素子Ｔo4（第４サブタグ）のデータ内容を表しており、タグ識別情報としてのタグＩＤ（この例では「ＩＤ４」）と、このタグが分担して記憶する物品情報等、すなわちこの例では上記質問器の仕様変更後の評価結果情報（出力「５．２ｍＷ」、有効エリア「１５ｍｍ」、エラー率「０％」等）とを、メモリ部１５５に記憶保持している。
【０１４６】
本変形例による無線タグ回路素子Ｔo0〜Ｔo4に対する無線タグラベルＴ−０〜Ｔ−４の作成についても、例えば前述の無線タグラベル作成装置３００を用いて行うことができる。この際には、例えば図１３に示すフローにおいて、ステップＳ７３５にて一度だけ行っていたカッタ３０７によるテープ切断手順をステップＳ７２０のメインタグ書き込み処理手順やステップＳ７２５のサブタグ書き込み処理手順に組み込み、各無線タグ回路素子Ｔoへの書き込みごとにテープ切断を行って個別の無線タグラベルＴ−０〜Ｔ−４とすればよい。その他の点については、上記実施形態とほぼ同様である。
【０１４７】
本変形例においても、上記実施形態同様、１個の無線タグ回路素子Ｔoに記録可能な容量は小さくても全体として多くの情報を保持でき、また迅速に効率よく上記大容量の情報の読み取りを行える等の効果を得ることができる。
【０１４８】
また、本変形例においては、特に、各無線タグ回路素子Ｔoごとにばらばらに無線タグラベルＴとされていることにより、書き込みたい情報量の増加に伴い（上記の例では試作機のテストがさらに繰り返されてプロトタイプが変更されデータが増えるとともに）サブタグを備えた無線タグラベルを必要に応じて追加していき、メインタグにその増えたタグのＩＤを追記していくことで、追加情報及び最初からの情報履歴（この例では試作機の変更履歴等）をすべて記録できる。また、その情報をその場で直ちに確認することができる。なお、メインタグである無線タグ回路素子Ｔo0の容量がもし足りなくなるようであれば、上記の例ではメインタグに基本仕様と最新履歴等を記録するようにしても良い。
【０１４９】
（２）サブタグにもポインタ情報を記憶させることで順次リレーして読み取る場合
すなわち、上記実施形態や上記（１）の変形例のように、メインタグ→各サブタグのような階層構造（ツリー構造）とするのではなく、不特定検索信号又は探索信号に応答するメインタグ（サブタグＡのポインタ情報を記憶）→サブタグＡ（次のサブタグＢのポインタ情報を記憶）→サブタグＢ（サブタグＣのポインタ情報を記憶）→…というように、各サブタグにも次のサブタグのポインタ情報を記憶させ、上記のようにリレー方式で読み取ることによって大容量の情報の全容を取得する場合である。
【０１５０】
図１６（ａ）〜図１６（ｅ）は、本変形例におけるメインタグである無線タグ回路素子Ｔo0及びサブタグである無線タグ回路素子Ｔo1，Ｔo２, Ｔo３, Ｔo４の上記メモリ部１５５に記憶されたデータ内容をそれぞれ概念的に表す図である。上記実施形態や（１）の変形例と同等の部分には同一の符号を付し、適宜説明を省略する。
【０１５１】
図１６（ａ）は無線タグラベルＴ−０の無線タグ回路素子Ｔo0（メインタグ）のデータ内容を表しており、無線タグ回路素子の識別子としてのタグＩＤ（この例では「ＩＤ０」）と、このタグが分担して記憶する物品情報等（この例では「ＡＢＣＤ」）と、（情報の読み取り順において）次の無線タグ回路素子となるサブタグＴo1の上記アクセスポインタ情報（この例ではサブタグのタグＩＤ「ＩＤ１」）とを、メモリ部１５５に記憶保持している。
【０１５２】
図１６（ｂ）は無線タグラベルＴ−１の無線タグ回路素子Ｔo1（第１サブタグ）のデータ内容を表しており、タグ識別情報としてのタグＩＤ（この例では「ＩＤ１」）と、このタグが分担して記憶する物品情報等（この例では「ＥＦＧＨＩＪＫ」）と、（情報の読み取り順において）次の無線タグ回路素子となるサブタグＴo2の上記アクセスポインタ情報（この例ではサブタグのタグＩＤ「ＩＤ２」）とを、メモリ部１５５に記憶保持している。
【０１５３】
図１６（ｃ）は無線タグラベルＴ−２の無線タグ回路素子Ｔo2（第２サブタグ）のデータ内容を表しており、タグ識別情報としてのタグＩＤ（この例では「ＩＤ２」）と、このタグが分担して記憶する物品情報等（この例では「ＬＭＮ」）と、（情報の読み取り順において）次の無線タグ回路素子となるサブタグＴo3の上記アクセスポインタ情報（この例ではサブタグのタグＩＤ「ＩＤ３」）とを、メモリ部１５５に記憶保持している。
【０１５４】
図１６（ｄ）は無線タグラベルＴ−３の無線タグ回路素子Ｔo3（第３サブタグ）のデータ内容を表しており、タグ識別情報としてのタグＩＤ（この例では「ＩＤ３」）と、このタグが分担して記憶する物品情報等（この例では「ＯＰＱＲＳＴＵＶＷ」）と、（情報の読み取り順において）次の無線タグ回路素子となるサブタグＴo4の上記アクセスポインタ情報（この例ではサブタグのタグＩＤ「ＩＤ４」）とを、メモリ部１５５に記憶保持している。
【０１５５】
図１６（ｅ）は無線タグラベルＴ−４の無線タグ回路素子Ｔo4（第４サブタグ）のデータ内容を表しており、タグ識別情報としてのタグＩＤ（この例では「ＩＤ４」）と、このタグが分担して記憶する物品情報等（この例では「ＸＹＺ」）と、（情報の読み取り順において）次の無線タグ回路素子がなくこれが最後の無線タグ回路素子であることを表す情報（この例では「最後」で表している）とを、メモリ部１５５に記憶保持している。
【０１５６】
図１７は、本変形例において、リーダ２００の制御回路２０２の実行する制御手順を表すフローチャートであり、上記実施形態の図９に相当する図である。図９と同等の手順については同一の符号を表し、説明を省略する。
【０１５７】
図１７では、図９に示す制御手順に加え、ステップＳ５４５、ステップＳ５４６、ステップＳ５４７、ステップＳ５４８が新たに追加されている。すなわち、ステップＳ５４５において特定検索信号等に対応し無線タグ回路素子（サブタグ）Ｔo1〜Ｔo4から送信（返信）されたリプライ信号が取り込まれたかどうかを判定し、判定が満たされたら、新たに設けたステップＳ５４６に移る。
【０１５８】
ステップＳ５４６では、上記ステップＳ５４５でサブタグより受信され読み出された情報に、次のサブタグへのポインタ情報があるかどうかを判定する。ポインタ情報があった場合には、新たに設けたステップＳ５４７に移り、ステップＳ５５０と同様に当該サブタグより読み出した情報に対応する表示信号を表示部２０４へ出力して表示を行わせる。このとき、例えば当該ポインタ情報の示す次に読み取るべき無線タグ回路素子（サブタグ）Ｔo2〜Ｔo4についても所定の表示を行う。すなわち、続きがあるかどうかを表示し、続きがある場合は続きを読む場合には操作部２０３にて所定の操作を行うよう促す表示を行う。その後、新たに設けたステップＳ５４８に移る。
【０１５９】
ステップＳ５４８では、ステップＳ５４７での表示部２０４の表示に応じ操作部２０３にて次のサブタグの情報読み取りを行う指示信号（操作信号）が入力されたかどうかを判定する。指示信号が入力されなければ、ステップＳ５４８に戻り、入力待機状態となる。指示信号が入力されたら、判定が満たされ、ステップＳ５４０へ戻り、次のサブタグに対してステップＳ５４０の特定検索信号送信、ステップＳ５４５のリプライ信号受信判定の手順を行う。このようにしてステップＳ５４０→ステップＳ５４５→ステップＳ５４６→ステップＳ５４７→ステップＳ５４８→ステップＳ５４０→…と繰り返しながら、ポインタ情報に基づき順次サブタグのＩＣ回路部１５０の情報読み取りを行っていく。そして、一番最後のサブタグ（上記の例では無線タグ回路素子Ｔo4）となったらポインタ情報が存在しないことから、ステップＳ５４６の判定が満たされなくなり、図９と同様のステップＳ５５０に移って読み出した情報に対応する表示信号を表示部２０４へ出力して表示を行わせ、このフローを終了する。
【０１６０】
本変形例による無線タグ回路素子Ｔo0〜Ｔo4に対する無線タグラベルＴ−０〜Ｔ−４の作成についても、上記（１）の変形例と同様、例えば前述の無線タグラベル作成装置３００を用いて行うことができる。またその他の点については、上記実施形態とほぼ同様である。
【０１６１】
なお上記においては、図１７に示すフローのステップＳ５４６が、ＩＣ回路部から読み取った情報にアクセスポインタ情報が含まれるかどうかを判定する質問器側判定手段を構成する。
【０１６２】
本変形例においても、上記実施形態同様の効果を得ることができる。すなわち、本変形例においては、無線タグ回路素子に大容量の情報を記憶させたいときには、その記憶させたい情報を分割して複数の無線タグ回路素子Ｔoにそれぞれ記憶させる。このとき、所定の１つの無線タグ回路素子Ｔo0等のみ、不特定検索信号又は探索信号に対して応答するメインタグとし、残りの無線タグ回路素子Ｔo1〜Ｔo4を不特定検索信号又は探索信号に対して応答しないサブタグとする。そして、分割後の情報読み取りの流れに沿って、無線タグ回路素子（メインタグ）Ｔo0には無線タグ回路素子（第１サブタグ）Ｔo1のポインタ情報をＩＣ回路部１５０に記憶させ、無線タグ回路素子（第１サブタグ）Ｔo1には無線タグ回路素子（第２サブタグ）Ｔo2のポインタ情報をＩＣ回路部１５０に記憶させ、無線タグ回路素子（第２サブタグ）Ｔo2には無線タグ回路素子（第３サブタグ）Ｔo3のポインタ情報をＩＣ回路部１５０に記憶させ、無線タグ回路素子（第３サブタグ）Ｔo3には無線タグ回路素子（第４サブタグ）Ｔo4のポインタ情報をＩＣ回路部１５０に記憶させる。
【０１６３】
そして、読み出し時には、不特定検索信号又は探索信号を送信して上記メインタグである無線タグ回路素子（メインタグ）Ｔo0等にアクセスし、その分担した分割情報を読み出すと共に無線タグ回路素子（第１サブタグ）Ｔo1のポインタ情報を取得する。そしてそのポインタ情報に基づき次の分割情報に係る無線タグ回路素子（第１サブタグ）Ｔo1へ特定検索信号を送信してそのＩＣ回路部１５０にアクセスし、その分担した分割情報を読み出すと共に無線タグ回路素子（第２サブタグ）Ｔo2のポインタ情報を取得する。さらに同様にそのポインタ情報に基づき次の分割情報に係る無線タグ回路素子（第２サブタグ）Ｔo2へ特定検索信号を送信してそのＩＣ回路部１５０にアクセスし、その分担した分割情報を読み出すと共に無線タグ回路素子（第３サブタグ）Ｔo3のポインタ情報を取得する。さらに同様にそのポインタ情報に基づき次の分割情報に係る無線タグ回路素子（第３サブタグ）Ｔo3へ特定検索信号を送信してそのＩＣ回路部１５０にアクセスし、その分担した分割情報を読み出すと共に無線タグ回路素子（第４サブタグ）Ｔo4のポインタ情報を取得する。さらに同様にそのポインタ情報に基づき次の分割情報に係る無線タグ回路素子（第４サブタグ）Ｔo4へ特定検索信号を送信してそのＩＣ回路部１５０にアクセスし、その分担した分割情報を読み出す。以上のようにして情報の流れに沿ってメインタグ→第１サブタグ→第２サブタグ→第３サブタグ→第４サブタグの順で情報読み取りを行うことで、大容量の情報の全貌を容易に取得することができる。
【０１６４】
以上のようにして、大容量の情報を分割記憶させた複数の無線タグ回路素子を単純にすべて呼び出して読み取りを行うのでなく、１つの無線タグ回路素子（メインタグ）Ｔo0等からポインタ情報による関連づけで他の無線タグ回路素子（サブタグ）Ｔo1〜Ｔo4へ順次読み取りを行っていくことで、１個の無線タグ回路素子Ｔoに記録可能な容量は小さくても全体として多くの情報を保持でき、また迅速に効率よく上記大容量の情報の読み取りを行うことができる。サブタグの数は情報量に応じて適宜増加でき、上記実施形態のように全無線タグ回路素子Ｔoを１つの無線タグラベルＴに設ける場合には、必要な数の無線タグ回路素子Ｔoが入る長さのラベルを作成するようにすればよい。
【０１６５】
また、本変形例においては特に、図１７に示すフローのステップＳ５４６で、ＩＣ回路部１５０から読み取った情報にアクセスポインタ情報が含まれるかどうかを判定する。これにより、アクセスポインタ情報を含む無線タグ回路素子Ｔo0，Ｔo1，Ｔo2，Ｔo3とアクセスポインタ情報を含まない無線タグ回路素子Ｔo4との両方に対しリーダ２００側から情報読み取りを行うことができる。この結果、各無線タグ回路素子からの情報読み取りを順に円滑に行い、上記大容量の情報を確実に取得することができる。
【０１６６】
なお、さらなる変形として、図１６（ａ）〜図１６（ｅ）に対応する図１８（ａ）〜図１８（ｅ）にそれぞれ示すように、上記情報の読み取り順序の流れに沿って、各無線タグ回路素子Ｔoごとに、当該タグの前の読み取り順の無線タグ回路素子のタグＩＤも併せて書き込むようにしてもよい（第１サブタグにメインタグのＩＤを書き込み、第２サブタグに第１サブタグのＩＤを書き込む等）。このようにすれば、仮に途中の無線タグ回路素子がラベル剥がれ等で読めなくなっても、オプションでサブタグ読出しコマンドで、全サブタグを読出し、その前後関係からどの情報が抜けたかユーザに報知できる。
【０１６７】
また通信距離が極めて短い無線タグ回路素子（いわゆる近接タグ）を用いる場合、メインタグ→第１サブタグ→第２サブタグ→…と順にリーダ（例えば携帯タイプのもの）２００を当てていくこととなるが、上記のように読み取り順序を明らかにすることで、次に読み取るべき順序を間違えたときに操作者に対して警告等を行うことが可能となる。また上記近接タグの場合には、読み取りを行う順番を無線タグラベルＴの上記印字領域に印字しておいても効果的である。
【０１６８】
（３）その他
以上においては、一の無線タグ回路素子Ｔoが記憶する他の無線タグ回路素子Ｔoへのアクセスポインタ情報が、当該他の無線タグ回路素子ＴoのタグＩＤそのものである場合を例にとって説明したが、これに限られない。すなわち、タグＩＤの全部ではなくその一部（下位部等）でもよい。また、当該タグＩＤを取得・特定できる何らかの情報でもよい。そのような例としては、演算関係情報（メインタグのタグＩＤに加算乗算等所定の演算を行うとサブタグのタグＩＤとなるような所定値）、差分情報（サブタグのタグＩＤを得るためにメインタグのタグＩＤに加えるべき差分）等が考えられる。これ以外にも、なんらかの演算をしてサブタグのタグＩＤが得られるような情報であれば足りる。なお、このようにしてタグＩＤを取得・特定することが、各請求項記載の、第１情報アクセス手段で取得したアクセスポインタ情報に基づき、他の無線タグ回路素子の識別子を生成する識別子生成手段を構成している。
【０１６９】
また、メインタグとサブタグとの識別手法の他の例として、タグＩＤの特定位置にメインタグとサブタグを区別する情報があるようにしてもよい。また、タグＩＤとは別にメインタグとサブタグとを区別する情報を有していても良い。さらに、上記サブタグの下にさらにサブタグがあってもよい（重階層構造）
【０１７０】
さらに、上述した実施形態、（１）〜（３）の変形例における手法を適宜組み合わせてもよい。これらの場合も、それら組み合わせた実施形態又は変形例の効果を併せた効果を得ることができ、上記同様、操作者の利便性を大きく向上できるという本発明本来の効果を得ることができる。
【０１７１】
その他、一々例示はしないが、本発明は、その趣旨を逸脱しない範囲内において、種々の変更が加えられて実施されるものである。
【図面の簡単な説明】
【０１７２】
【図１】本発明の一実施形態の無線タグ回路素子の適用対象である無線タグ情報読み取りシステム全体を表す概念的なシステム構成図である。
【図２】本発明の一実施形態の無線タグラベルの全体概略構造の一例を表す上面図及び下面図である。
【図３】無線タグラベルに備えられた無線タグ回路素子の機能的構成の一例を表すブロック図である。
【図４】無線タグラベルに備えられた無線タグ回路素子のメモリ部に記憶されたデータ内容を概念的に表す図である。
【図５】本発明の一実施形態によるリーダの詳細機能を表す機能ブロック図である。
【図６】高周波回路の詳細機能構成を表す機能ブロック図である。
【図７】制御回路の詳細機能を表す機能ブロック図である。
【図８】情報読み取り操作を行っていくときに表示部に表示される表示の例を表す図である。
【図９】制御回路の実行する制御手順を表すフローチャートである。
【図１０】無線タグ回路素子（メインタグ）のＩＣ回路部に配置された、制御部が実行する制御手順を表すフローチャートである。
【図１１】無線タグ回路素子（サブタグ）のＩＣ回路部に配置された、制御部が実行する制御手順を表すフローチャートである。
【図１２】本発明の一実施形態によるタグラベル作成装置の構成を表す概念図である。
【図１３】無線タグラベルの作成時に制御回路によって実行される制御手順を表すフローチャートである。
【図１４】各無線タグ回路素子ごとに別ラベルとする変形例を表す図である。
【図１５】メインタグ及びサブタグのメモリ部に記憶されたデータ内容をそれぞれ概念的に表す図である。
【図１６】サブタグにもポインタ情報を記憶させる変形例におけるメインタグ及びサブタグのメモリ部に記憶されたデータ内容をそれぞれ概念的に表す図である。
【図１７】リーダの制御回路の実行する制御手順を表すフローチャートである。
【図１８】タグの前の読み取り順のタグＩＤも併せて書き込むようにした場合を表す図である。
【符号の説明】
【０１７３】
１５０            ＩＣ回路部
１５１            アンテナ（タグ側アンテナ）
１５７            制御部（タグ側判定手段、切替手段）
２００            リーダ（質問器）
２０４            表示部（表示手段）
３００            タグラベル作成装置（無線タグラベル作成装置）
３０４            タグテープロール
３０６            アンテナ（装置側アンテナ）
３１０            タグテープロールホルダ部
Ｓ                印字領域
Ｔ                無線タグラベル
Ｔo               無線タグ回路素子
Ｔo0              無線タグ回路素子（メインタグ）
Ｔo1              無線タグ回路素子（サブタグ）
Ｔo2              無線タグ回路素子（サブタグ）
Ｔo3              無線タグ回路素子（サブタグ）
Ｔo4              無線タグ回路素子（サブタグ）
Ｔo5              無線タグ回路素子（サブタグ）
Ｔ１              無線タグラベル
Ｔ２              無線タグラベル
Ｔ３              無線タグラベル
【図１】
2006293669.tif 000003
【図２】
2006293669.tif 000004
【図３】
2006293669.tif 000005
【図４】
2006293669.tif 000006
【図５】
2006293669.tif 000007
【図６】
2006293669.tif 000008
【図７】
2006293669.tif 000009
【図８】
2006293669.tif 000010
【図９】
2006293669.tif 000011
【図１０】
2006293669.tif 000012
【図１１】
2006293669.tif 000013
【図１２】
2006293669.tif 000014
【図１３】
2006293669.tif 000015
【図１４】
2006293669.tif 000016
【図１５】
2006293669.tif 000017
【図１６】
2006293669.tif 000018
【図１７】
2006293669.tif 000019
【図１８】
2006293669.tif 000020